【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
ユーザデバイスから第１の基地局に、デバイス間（Ｄ２Ｄ）発見リソースの第１の割振りについての第１の要求を送信することと、
前記ユーザデバイスにおいて、前記第１の要求に応答して、前記ユーザデバイスに割り振られた前記Ｄ２Ｄ発見リソースが共通のものであるのか、または専用のものであるのかを示す応答、および前記ユーザデバイスに前記Ｄ２Ｄ発見リソースを割り振った複数の近隣基地局の識別情報を受信することと、ここで、前記複数の近隣基地局は、前記ユーザデバイスに同じ発見リソースを割り振ったページングのために使用されたトラッキングエリアに対応する基地局のグループである、
前記ユーザデバイスが前記複数の近隣基地局のうちの１つではない基地局と通信しているときに、前記ユーザデバイスから、Ｄ２Ｄ発見リソースの第２の割振りについての第２の要求を送信することと
を備える、方法。
【請求項２】
前記ユーザデバイスに割り振られた前記Ｄ２Ｄ発見リソースが専用のものであるときに、前記割り振られたＤ２Ｄ発見リソースが使用され得る回数のインジケーションを受信すること
をさらに備える、または、
前記ユーザデバイスに割り振られた前記Ｄ２Ｄ発見リソースが専用のものであるときに、前記Ｄ２Ｄ発見リソースが割り振られた時間量のインジケーションを受信すること
をさらに備える、請求項１に記載の方法。
【請求項３】
前記ユーザデバイスに割り振られた前記Ｄ２Ｄ発見リソースが専用のものであるときに、前記応答において、前記ユーザデバイスに割り振られた前記Ｄ２Ｄ発見リソースの識別子を受信すること、ここにおいて、前記識別子が、前記ユーザデバイスに割り振られたサブフレーム上の複数のリソースブロック（ＲＢ）を識別する、
をさらに備える、請求項１に記載の方法。
【請求項４】
前記応答が、無線リソース制御（ＲＲＣ）メッセージ、媒体アクセス制御（ＭＡＣ）レイヤメッセージまたは物理（ＰＨＹ）レイヤメッセージであり、
ここにおいて、前記応答がＲＲＣメッセージであるとき、前記応答が、アップリンクのためのＤ２Ｄ送信リソース割振りを許可するダウンリンク制御情報（ＤＣＩ）メッセージまたはＤ２Ｄ発見情報を含むように修正されたRRCConnectionReconfigurationメッセージである、
請求項１に記載の方法。
【請求項５】
Ｄ２Ｄ発見要求のためにフォーマットされた無線リソース制御（ＲＲＣ）メッセージとして前記要求をフォーマットすること
をさらに備える、請求項１に記載の方法、または、
非Ｄ２Ｄ発見要求のために使用されるメッセージフォーマットを使用して前記要求をフォーマットすることと、
前記要求がＤ２Ｄ発見に関係するというインジケータを前記要求中に含めることと
をさらに備える、請求項１に記載の方法、または、
前記ユーザデバイスが有効な割り振られたＤ２Ｄ発見リソースを有さず、前記要求が拒絶されるとき、または前記ユーザデバイスが共通の割り振られたＤ２Ｄ発見リソースのみを有するとき、Ｄ２Ｄ発見リソースの割振りのための前記応答がエンプティである、請求項１に記載の方法、または、
前記ユーザデバイスが前記応答を受信した後に始まる発見期間中に前記ユーザデバイスに割り振られた、前記割り振られたＤ２Ｄ発見リソースを使用して、Ｄ２Ｄ発見メッセージを送信すること
をさらに備える、請求項１に記載の方法。
【請求項６】
前記要求が、送信されるべき複数の式と前記ユーザデバイスのためのＤ２Ｄ発見リソースについての対応する要求とを含み、前記応答が、前記ユーザデバイスに割り振られたＤ２Ｄ発見リソースが共通のものであるのか、または専用のものであるのかの対応する複数のインジケーションを含み、
特に、前記応答が、複数の割り振られたＤ２Ｄ発見リソースを前記複数の前記要求と相関させる式インデックスを含む、請求項１に記載の方法。
【請求項７】
Ｄ２Ｄ発見リソースの割振りについての前記要求は、前記ユーザデバイスがＤ２Ｄ発見に参加することを認可されているというインジケータを含む、請求項１に記載の方法。
【請求項８】
前記応答から、前記ユーザデバイスによって実行されるべき発見信号送信の数を決定すること
をさらに備える、請求項１に記載の方法、または、
前記応答から、前記ユーザデバイスに割り振られた前記Ｄ２Ｄ発見リソースが割振り解除されることを前記ユーザデバイスがその後に決定し得る、エンプティ発見信号送信の数を決定すること
をさらに備える、請求項１に記載の方法。
【請求項９】
ワイヤレス通信のための装置であって、
ユーザデバイスから第１の基地局に、デバイス間（Ｄ２Ｄ）発見リソースの割振りについての第１の要求を送信するための手段と、
前記要求に応答して、前記ユーザデバイスに割り振られた前記Ｄ２Ｄ発見リソースが共通のものであるのか、または専用のものであるのかを示す応答、および前記ユーザデバイスに前記Ｄ２Ｄ発見リソースを割り振った複数の近隣基地局の識別情報を受信するための手段と、ここで、前記複数の近隣基地局は、前記ユーザデバイスに同じ発見リソースを割り振ったページングのために使用されたトラッキングエリアに対応する基地局のグループである、
前記ユーザデバイスが前記複数の近隣基地局のうちの１つではない基地局と通信しているときに、前記ユーザデバイスから、Ｄ２Ｄ発見リソースの第２の割振りについての第２の要求を送信するための手段と
を備える、装置。
【請求項１０】
前記ユーザデバイスに割り振られた前記Ｄ２Ｄ発見リソースが専用のものであるときに、前記割り振られたＤ２Ｄ発見リソースが使用され得る回数のインジケーションを受信するための手段
をさらに備える、または、
前記ユーザデバイスに割り振られた前記Ｄ２Ｄ発見リソースが専用のものであるときに、前記Ｄ２Ｄ発見リソースが割り振られた時間量のインジケーションを受信するための手段
をさらに備える、請求項９に記載の装置。
【請求項１１】
前記ユーザデバイスに割り振られた前記Ｄ２Ｄ発見リソースが専用のものであるときに、前記応答において、前記ユーザデバイスに割り振られた前記Ｄ２Ｄ発見リソースの識別子を受信するための手段、ここにおいて、前記識別子が、前記ユーザデバイスに割り振られたサブフレーム上の複数のリソースブロック（ＲＢ）を識別する、
をさらに備える、請求項９に記載の装置。
【請求項１２】
前記ユーザデバイスが有効な割り振られたＤ２Ｄ発見リソースを有さず、前記要求が拒絶されるとき、または前記ユーザデバイスが共通の割り振られたＤ２Ｄ発見リソースのみを有するとき、Ｄ２Ｄ発見リソースの割振りのための前記応答がエンプティである、請求項９に記載の装置。
【請求項１３】
前記ユーザデバイスが前記応答を受信した後に始まる発見期間中に前記ユーザデバイスに割り振られた、前記割り振られたＤ２Ｄ発見リソースを使用して、Ｄ２Ｄ発見メッセージを送信するための手段
をさらに備える、請求項９に記載の装置。
【請求項１４】
前記要求が、送信されるべき複数の式と前記ユーザデバイスのためのＤ２Ｄ発見リソースについての対応する要求とを含み、前記応答が、前記ユーザデバイスに割り振られたＤ２Ｄ発見リソースが共通のものであるのか、または専用のものであるのかの対応する複数のインジケーションを含む、請求項９に記載の装置。
【請求項１５】
コンピュータ上で実行されたときに請求項１〜８のいずれかのステップを実行するためのコードを備える、コンピュータプログラム。